(57)【要約】【課題】既設の分電盤及び無停電電源装置等に容易に組み込むことができる電源投入制御装置を提供する。【解決手段】複数の負荷に電力を供給する電源装置から供給された電力を分電盤１により複数の負荷へ分配し、電源装置から個々の負荷への電力供給を制御する遮断器６の開閉動作を遮断器動作装置５が操作し、電源装置から負荷へ流れる電流値を監視する電流監視装置１２を設け、この電流監視装置１２の監視結果を受けて、制御装置１８は負荷への電源投入順序を決定し、遮断器動作装置５へ開閉指令を出力する。【選択図】          図１
2004336893.tif 000002
【特許請求の範囲】
【請求項１】
複数の負荷に電力を供給する電源装置と、この電源装置から供給された電力を複数の負荷へ分配する分電盤と、上記電源装置から個々の負荷への電力供給を制御する遮断器と、この遮断器の開閉動作を操作する遮断器動作装置と、上記電源装置から負荷へ流れる負荷特性に基づき、上記負荷への電源投入順序を決定し、上記遮断器動作装置へ開閉指令を出力する制御装置を備えたことを特徴とする電源投入制御装置。
【請求項２】
複数の負荷に電力を供給する無停電電源装置と、この無停電電源装置から供給された電力を複数の負荷へ分配する分電盤と、上記無停電電源装置から個々の負荷への電力供給を制御する遮断器と、この遮断器の開閉動作を操作する遮断器動作装置と、上記無停電電源装置から負荷へ流れる負荷特性に基づき、上記負荷への電源投入順序を決定し、上記遮断器動作装置へ開閉指令を出力する制御装置を備えたことを特徴とする電源投入制御装置。
【請求項３】
上記制御装置は、電源容量と、上記負荷における定常電流値及び突入電流値とを比較することにより、上記負荷への電源投入順序を決定することを特徴とする請求項１又は請求項２記載の電源投入制御装置。
【請求項４】
上記制御装置は、操作者が事前に設定した電源投入順序を反映させて、上記負荷への電源投入順序を決定することを特徴とする請求項１から請求項３のいずれか１項に記載の電源投入制御装置。
【請求項５】
上記電源装置及び上記無停電電源装置から上記負荷へ流れる電流値を監視する電流監視装置を設け、上記制御装置は、上記電流監視装置から負荷特性情報を取得することを特徴とする請求項１から請求項４のいずれか１項に記載の電源投入制御装置。
【請求項６】
上記制御装置は、上記負荷の消費電流値が電源容量よりも大きな場合、電源投入操作を中断することを特徴とする請求項１から請求項５のいずれか１項に記載の電源投入制御装置。
【請求項７】
上記制御装置が装備された電源投入制御本体を、上記分電盤並びに上記電源装置とは別体に構成したことを特徴とする請求項１から請求項６のいずれか１項に記載の電源投入制御装置。
【発明の詳細な説明】
【０００１】
【発明の属する技術分野】
この発明は、例えば火力発電プラント内に設置される無停電電源装置等から分電盤に電力を分配する際の電源投入制御装置に関するものであり、特に電源装置と、電源装置から複数の負荷に対して電力を分配する分配装置と、個々の負荷への電力供給を制御する遮断器と、遮断器の操作と動作状況を監視できる装置を備えた電源投入制御装置に関するものである。
【０００２】
【従来の技術】
無停電電源装置等からの電力を分電盤に分配する際、負荷への電源投入時には、定常運用時の消費電流（以下、定常電流と呼ぶ）よりも大きな電流（以下、突入電流と呼ぶ）が流れるため、電源投入を時間的にずらして、複数の負荷への突入電流が重畳しないようにする必要がある。
従来の電源投入制御装置では、電源投入時に負荷に流れる電流特性の差を利用して、電源投入を時間的にずらし、複数の負荷への突入電流が重畳しないようにしている（例えば、特許文献１参照）。
【０００３】
【特許文献１】
特開平１１−１３６８６０号公報（第８頁、第１図）
【０００４】
【発明が解決しようとする課題】
従来の電源投入制御装置では、電源投入時に負荷に流れる電流特性を、スイッチのＨｉｇｈ及び１ｏｗで表現しているため、電流特性をＨｉｇｈ及び１ｏｗ特性に変換するために、ケーブル、スイッチ等のハードウェア機器を装備する必要があった。
そのため、既設の分電盤、無停電電源装置等に対して、従来の電源投入制御装置を適用することは困難であった。
【０００５】
また、電源が投入される順序は、電源投入時における負荷の電流特性に依存して決定されるため、まったく同一の電流特性を持つ負荷に対しては、突入電流が重畳しないように電源投入を時間的にずらすことができなかった。
さらに、計算機等をはじめとして、周辺機器を先行して電源投入し、その後で本体に電源投入をさせるような、操作者の意図を電源投入順序に反映させることが不可能であった。
【０００６】
この発明は上記のような課題を解決するためになされたものであり、既設の分電盤及び無停電電源装置等に適用することができる電源投入制御装置を提供することを目的とする。
また、同一の電流特性を持った負荷が接続されている場合にも、突入電流が重畳しないように電源投入を時間的にずらすことができる電源投入制御装置を提供することを目的とする。
さらに、操作者の意図を電源投入順序に反映させることができる電源投入制御装置を提供することを目的とする。
【０００７】
【課題を解決するための手段】
この発明の請求項１に係る電源投入制御装置は、複数の負荷に電力を供給する電源装置と、この電源装置から供給された電力を複数の負荷へ分配する分電盤と、電源装置から個々の負荷への電力供給を制御する遮断器と、この遮断器の開閉動作を操作する遮断器動作装置と、電源装置から負荷へ流れる負荷特性に基づき、負荷への電源投入順序を決定し、遮断器動作装置へ開閉指令を出力する制御装置を備えたものである。
【０００８】
【発明の実施の形態】
実施の形態１．
以下、この発明の一実施形態を図に基づいて説明する。
図１はこの発明の実施の形態１による電源投入制御装置を示すブロック構成図である。
図において、図示しない電源装置、または無停電電源装置から、既設分電盤１に電力が供給され、分電盤遮断器２と負荷回路用遮断器３−１，３−２，３−３，〜３−ｎ（ｎ：上限を２とする整数。単に２以上の整数と呼ぶ）を介して、複数の負荷回路４−１，４−２，４−３，〜，４−ｎに接続された負荷（図示せず）に電力を分配して供給する。
【０００９】
負荷回路用遮断器３−１，３−２，３−３，〜３−ｎは、遮断器動作装置５−１，５−２，５−３，〜，５−ｎと、遮断器６−１，６−２，６−３，〜，６−ｎから構成され、遮断器動作装置５−１，５−２，５−３，〜，５−ｎは、負荷回路用遮断器開閉装置７と電気信号を介して接続されている。
そして、操作者８は、負荷回路用遮断器開閉装置７を用いて、負荷回路用遮断器３−１，３−２，３−３，〜３−ｎ内の遮断器動作装置５−１，５−２，５−３，〜，５−ｎを動作させることにより、遮断器６−１，６−２，６−３，〜，６−ｎを開閉させるとともに、遮断器動作装置５−１，５−２，５−３，〜，５−ｎの状態を負荷回路用遮断器開閉装置７を用いて監視することにより、遮断器６−１，６−２，６−３，〜，６−ｎの状態を監視することができる。
【００１０】
更に電源投入制御装置は、分電盤１の外部に設置される電源投入制御装置本体９と、分電盤１内の母線１０における分岐端子１１−１，１１−２，１１−３，〜，１１−ｎと負荷回路用遮断器６−１，６−２，６−３，〜，６−ｎとの間の回路上に設置され、負荷回路４−１，４−２，４−３，〜４−ｎに流れる電流を監視する電流監視装置１２−１，１２−２，１２−３，〜１２−ｎと、遮断器動作装置５−１，５−２，５−３，〜，５−ｎと電源監視装置本体９との間の電気信号を伝達するケーブル１３−１，１３−２，１３−３，〜，１３−ｎと、電流監視装置１２−１，１２−２，１２−３，〜，１２−ｎと電源投入制御装置本体９との間の電気信号を伝達するケーブル１４−１，１４−２，１４−３，〜，１４−ｎから構成されている。
【００１１】
又、電源投入制御装置本体９は、負荷回路用遮断器３−１，３−２，３−３，〜，３−ｎ内の遮断器動作装置５−１，５−２，５−３，〜，５−ｎ及び電流監視装置１２−１，１２−２，１２−３，〜１２−ｎからの電気信号を中継する外部インターフェース１５と、負荷回路４−１，４−２，４−３，〜，４−ｎに接続される負荷（図示せず）に関する情報と分電盤遮断器２の容量等を記憶する記憶装置１６と、操作者８が電源投入制御装置本体９に対して操作を行う際に中継点となるとともに、操作者８が電源投入制御装置本体９の状態を監視する際に使用するヒューマンインターフェース１７と、外部インターフェース１５，記憶装置１６及びヒューマンインターフェース１７から入力された電気信号をもとに電源投入制御を行い、かつ、これら外部インターフェース１５，記憶装置１６及びヒューマンインターフェース１７に対して制御信号を出力する制御装置１８から構成されている。
【００１２】
次に動作についてフローチャートに基づき説明する。
上記のように構成された電源投入制御装置においては、図２に示すように電源投入制御が行われる。
電源投入制御装置本体９のヒューマンインターフェース１７を介して、操作者８が電源投入を指示すると、電源投入が開始され（ＳＴＥＰ１００）、制御装置１８は記憶装置１６から負荷回路４−１，４−２，４−３，〜，４−ｎに接続される負荷（図示せず）に関する情報が記憶されているか否かを判断し（ＳＴＥＰ１０１）、負荷情報が記憶されておればこれら負荷情報を読み出す（ＳＴＥＰ１０２）。
【００１３】
ここで、分電盤５及び電源投入制御装置本体９の設置後、１度もこれらが受電されていない場合、または負荷回路４−１，４−２，４−３，〜，４−ｎに接続される負荷（図示せず）が変更されていた場合には、記憶装置１６に情報が記憶されていないため、制御装置１８はテスト電源投入モードに移行する（ＳＴＥＰ１０３）。
図３は、このテスト電源投入モードを示すフローチャートであり，テスト電源投入モードに移行すると（ＳＴＥＰ２００）、制御装置１８は、外部インターフェース１５を介して，遮断器動作装置５−１に対して，電源投入指令を出力する。
これにより遮断器６−１が閉じられ、負荷回路４−１に電流が流れる（ＳＴＥＰ２０２）。
【００１４】
このとき、電流監視装置１２−１は、負荷回路４−１に流れる電流を計測し、電源投入制御装置本体９の外部インターフェース１５へ計測結果を出力する。
制御装置１８は、外部インターフェース１５に入力された電流計測結果から、電源投入時に流れる突入電流ＩＴ−１と、突入電流が整定し定常状態に移行したときの定常電流ＩＳ−１を決定し、これらは記憶装置１６に記録される（ＳＴＥＰ２０３）。
記憶装置１６への記録が完了したら、制御装置１８は、外部インターフェース１５を介して、遮断器動作装置５−１に対して、電源遮断指令を出力する。
これにより遮断器６−１が開放され（ＳＴＥＰ２０４）、負荷回路４−１に接続される負荷（図示せず）への電力供給が絶たれる。
【００１５】
その後、制御装置１８は、遮断器動作装置５−２，５−３，〜，５−ｎに対して、上記に示した同様の動作を行い（ＳＴＥＰ２０５，２０６）、負荷回路４−２，４−３，〜４−ｎに接続される負荷（図示せず）へ電力を投入した場合の突入電流ＩＴ−２，ＩＴ−３，〜ＩＴ−ｎと、突入電流が整定し定常状態に移行したときの定常電流ＩＳ−２，ＩＳ−３，〜，ＩＳ−ｎを記憶装置１６に記録する。
このテスト電源投入モードが完了した後（ＳＴＥＰ２０７）、または、すでに負荷回路４−１，４−２，４−３，〜，４−ｎに接続される負荷（図示せず）の情報が記憶装置１６に記録されている場合には、制御装置１８は、電源投入順序決定モードヘ移行する（ＳＴＥＰ１０４）。
【００１６】
図４は電源投入順序決定モードを示すフローチャートであり、電源投入順序決定モードヘ移行すると、制御装置１８は、負荷回路４−１，４−２，４−３，〜，４−ｎに接続される負荷（図示せず）への電源投入順序を決定する（ＳＴＥＰ３００）。
まず、負荷回路４−１，４−２，４−３，〜，４−ｎに接続される負荷（図示せず）の定常状態時の定常電流値ＩＳ−１，ＩＳ−２，ＩＳ−３，〜，ＩＳ−ｎを合計してＩｓを算出し、分電盤遮断器２の遮断電流値Ｃとの大きさを比較する。
そして、ＩｓがＣよりも大きい場合には、分電盤遮断器２は、負荷回路４−１，４−２，４−３，〜，４−ｎに接続される負荷（図示せず）のすべてに対して電力を供給することが不可能であるため、制御装置１８は、電源投入順序決定モードを中断し、操作者８に電源投入が不可能であることをヒューマンインターフェース部１７を通じて知らせる。
【００１７】
次に、ＩｓがＣよりも小さい場合には、分電盤遮断器２は、負荷回路４−１，４−２，４−３，〜，４−ｎに接続される負荷（図示せず）のすべてに対して電力を供給することが可能であるため、制御装置１８は、負荷回路４−１，４−２，４−３，〜，４−ｎに接続される負荷（図示せず）に対してｎ！通りの電源投入順序を仮決定する（ＳＴＥＰ３０２）。
【００１８】
電源投入順序を仮決定した後、制御装置１８は、仮決定された電源投入順序に基づき負荷回路４−１，４−２，４−３，〜，４−ｎに接続される負荷（図示せず）の定常電流値ＩＳ−１，ＩＳ−２，ＩＳ−３，〜，ＩＳ−ｎに対して以下に述べる積上げ演算を実施する。
ただし、この積上げ演算では、負荷回路４−１，４−２，４−３，〜，４−ｎに接続される負荷（図示せず）の突入電流値ＩＴ−１，ＩＴ−２，ＩＴ−３，〜，ＩＴ−ｎも考慮する。
【００１９】
ここで、仮決定されたｎ！通りの電源投入順序のうち、Ｍ番目（Ｍ：ｎ！を上限とする整数）の電源投入順序を例に積上げ演算について説明する（ＳＴＥＰ３０３）。
仮決定されたｎ！通りの電源投入順序のうちのＭ番目の電源投入順序においては、１番目に電源投入される負荷回路に接続される負荷の定常状態時の定常電流値がＩＳ−Ｍ１、突入電流値がＩＴ−Ｍ１であり、２番目に電源投入される負荷回路に接続される負荷の定常状態時の定常電流値がＩＳ−Ｍ２、突入電流値がＩＴ−Ｍ２であり、３番目に電源投入される負荷回路に接続される負荷の定常状態時の定常電流値がＩＳ−Ｍ３、突入電流値がＩＴ−Ｍ３であり、〜，ｎ番目に電源投入される負荷回路に接続される負荷の定常状態時の定常電流値がＩＳ−Ｍｎ、突入電流値がＩＴ−Ｍｎであるとする。
【００２０】
まず、仮決定されたｎ！通りの電源投入順序のうちのＭ番目の電源投入順序において、１番目の負荷回路に電源が投入されると、分電盤遮断器２には、突入電流ＩＴ−Ｍ１が流れるため、ＩＴ−Ｍ１が分電盤遮断器２の遮断電流値Ｃよりも小さいかどうかを制御装置１８が判断する（ＳＴＥＰ３０４）。
そして、ＩＴ−Ｍ１が分電盤遮断器２の遮断電流値Ｃよりも小さかった場合には、２番目の負荷への電源投入を行った場合の検討へ移る（ＳＴＥＰ３０５）。
【００２１】
逆に、ＩＴ−Ｍ１が分電盤遮断器２の遮断電流値Ｃよりも大きかった場合には、仮決定されたｎ！通りの電源投入順序のうちＭ番目の電源投入順序は不適当として、仮決定されたｎ！通りの電源投入順序のうち、Ｍ＋１番目の電源投入順序に対して、再検討を行う（ＳＴＥＰ３０６，３０７）。
ただし、Ｍ＋１がＮ！を上回った場合には、操作者８に電源投入が不可能であることをヒューマンインターフェース部１７を通じて知らせ、電源投入を中止する（ＳＴＥＰ３０８）。
【００２２】
次に、仮決定されたｎ！通りの電源投入順序のうちのＭ番目の電源投入順序において、２番目の負荷回路に電源が投入される時には、すでに１番目に電源投入された負荷の定常電流ＩＳ−Ｍ１に加え、２番目に電源投入される負荷の突入電流ＩＴ−Ｍ２が重畳するために、分電盤遮断器２には、突入電流ＩＳ−Ｍ１＋ＩＴ−Ｍ２が流れる。
制御装置１８は、ＩＳ−Ｍ１＋ＩＴ−Ｍ２が分電盤遮断器２の遮断電流値Ｃよりも小さいかどうかを判断する（ＳＴＥＰ３０５）。
そして，ＩＳ−Ｍ１＋ＩＴ−Ｍ２が分電盤遮断器２の遮断電流値Ｃよりも小さかった場合には、３番目の負荷への電源投入を行った場合の検討へ移る（ＳＴＥＰ３０９）。
【００２３】
逆に、ＩＳ−Ｍ１＋ＩＴ−Ｍ２が分電盤遮断器２の遮断電流値Ｃよりも大きかった場合には、仮決定されたｎ！通りの電源投入順序のうち、Ｍ番目の電源投入順序は不適当として、仮決定されたｎ！通りの電源投入順序のうち、Ｍ＋１番目の電源投入順序に対して、再検討を行う（ＳＴＥＰ３０６，３０７）。
ただし、Ｍ＋１がＮ！を上回った場合には、操作者８に電源投入が不可能であることを、ヒューマンインターフェース部１７を通じて知らせ、電源投入を中止する（ＳＴＥＰ３０８）。
【００２４】
続いて、仮決定されたｎ！通りの電源投入順序のうちのＭ番目の電源投入順序において、３番目の負荷回路に電源が投入される時には、すでに１番目，２番目に電源投入された負荷の定常電流ＩＳ−Ｍ１＋ＩＳ−Ｍ２に加え、３番目に電源投入される負荷の突入電流ＩＴ−Ｍ３が重畳するために、分電盤遮断器２には、突入電流ＩＳ−Ｍ１＋ＩＳ−Ｍ２＋ＩＴ−Ｍ３が流れる。
制御装置１８は、ＩＳ−Ｍ１＋ＩＳ−Ｍ２＋ＩＴ−Ｍ３が分電盤遮断器２の遮断電流値Ｃよりも小さいかどうかを判断する（ＳＴＥＰ３０９）。
そして，ＩＳ−Ｍ１＋ＩＳ−Ｍ２＋ＩＴ−Ｍ３が分電盤遮断器２の遮断電流値Ｃよりも小さかった場合には、４番目の負荷への電源投入を行った場合の検討へ移る。
【００２５】
逆に、ＩＳ−Ｍ１＋ＩＳ−Ｍ２＋ＩＴ−Ｍ３が分電盤遮断器２の容量Ｃよりも大きかった場合には、仮決定されたｎ！通りの電源投入順序のうち、Ｍ番目の電源投入順序は不適当として、仮決定されたｎ！通りの電源投入順序のうち、Ｍ＋１番目の電源投入順序に対して、再検討を行う（ＳＴＥＰ３０６，３０７）。
ただし、Ｍ＋１がＮ！を上回った場合には、操作者８に電源投入が不可能であることをヒューマンインターフェース部１７を通じて知らせ、電源投入を中止する（ＳＴＥＰ３０８）。
【００２６】
同様にして、仮決定されたｎ！通りの電源投入順序のうちのＭ番目の電源投入順序において、ｎ番目の負荷回路に電源が投入される時には、すでに１番目，２番目，３番目，〜，ｎ−１番目に電源投入された負荷の定常電流ＩＳ−Ｍ１＋ＩＳ−Ｍ２＋ＩＳ−Ｍ３＋〜＋ＩＳ−Ｍ（ｎ−１）に加え、ｎ番目に電源投入される負荷の突入電流ＩＴ−Ｍｎが重畳するために、分電盤遮断器２には、突入電流ＩＳ−Ｍ１＋ＩＳ−Ｍ２＋ＩＳ−Ｍ３＋〜＋ＩＳ−Ｍ（ｎ−１）＋ＩＴ−Ｍｎが流れる。
制御装置１８は、ＩＳ−Ｍ１＋ＩＳ−Ｍ２＋ＩＳ−Ｍ３＋〜＋ＩＳ−Ｍ（ｎ−１）＋ＩＴ−Ｍｎが分電盤遮断器２の遮断電流値Ｃよりも小さいかどうかを判断する（ＳＴＥＰ３１０）。
【００２７】
そして、ＩＳ−Ｍ１＋ＩＳ−Ｍ２＋ＩＳ−Ｍ３＋〜＋ＩＳ−Ｍ（ｎ−１）＋ＩＴ−Ｍｎが分電盤遮断器２の遮断電流値Ｃよりも小さかった場合には、仮決定されたｎ！通りの電源投入順序のうちのＭ番目の電源投入順序を決定された電源投入順序として採用し、電源投入モードヘ移行する（ＳＴＥＰ１０５，３１１）。
逆に、ＩＳ−Ｍ１＋ＩＳ−Ｍ２＋ＩＳ−Ｍ３＋〜＋ＩＳ−Ｍ（ｎ−１）＋ＩＴ−Ｍｎが分電盤遮断器２の遮断電流値Ｃよりも大きかった場合には、仮決定されたｎ！通りの電源投入順序のうちＭ番目の電源投入順序は、不適当として、仮決定されたｎ！通りの電源投入順序のうち、Ｍ＋１番目の電源投入順序に対して、再検討を行う（ＳＴＥＰ３０６，３０７）。
ただし、Ｍ＋１がＮ！を上回った場合には、操作者８に電源投入が不可能であることをヒューマンインターフェース部１７を通じて知らせ、電源投入を中止する（ＳＴＥＰ３０８）。
【００２８】
図５は電源投入モードを示すフローチャートであり、電源投入モードヘ移行すると（ＳＴＥＰ４００）、制御装置１８は、外部インターフェース部９及びケーブル１３−Ｍ１を介して、決定された電源投入順序に基づき、負荷回路４−１，４−２，４−３，〜，４−ｎに接続される負荷（図示せず）のうち１番目に電源投入される負荷が接続されている負荷回路の遮断器動作装置５−Ｍ１へ電源投入の命令を発し、負荷回路用遮断器６−Ｍ１が閉じることにより、負荷への電源投入が行われる（ＳＴＥＰ４０１）。
【００２９】
このとき、電流監視装置１２−Ｍ１は、電源投入時の電流値ＩＭ１の変化を監視し、ケーブル１４−Ｍ１及び電源投入制御装置本体９の外部インターフェース１５を介して、制御装置１８へ電流値の変化を出力する。
制御装置１８は、１番目に投入された負荷に流れる電流値ＩＭ１が定常電流値ＩＳ−Ｍ１に整定することを確認し（ＳＴＥＰ４０２）、２番目の負荷への電源投入を開始する。
【００３０】
１番目に投入された負荷に流れる電流値ＩＭ１が定常電流値Ｉｓ−Ｍ１に整定しない場合には、制御装置１８は、操作者８に電源投入が不可能であることをヒューマンインターフェース部１７を通じて知らせ、電源投入を中止する。
即ち、制御装置１８は、閉路を指示した負荷回路の遮断器動作装置５−Ｍ１へ遮断器開の命令を発し、負荷回路用遮断器６−Ｍ１を開放し（ＳＴＥＰ４０３）、電源投入を中断する（ＳＴＥＰ１０６，４０４）。
【００３１】
次に、２番目の負荷への電源投入を開始すると、制御装置１８は、外部インターフェース部１５及びケーブル１３−Ｍ２を介して、決定された電源投入順序に基づき、負荷回路４−１，４−２，４−３，〜，４−ｎに接続される負荷（図示せず）のうち、２番目に電源投入される負荷が接続されている負荷回路の遮断器動作装置５−Ｍ２へ電源投入の命令を発し、負荷回路用遮断器６−Ｍ２が閉じることにより、負荷への電源投入が行われる（ＳＴＥＰ４０５）。
【００３２】
このとき、電流監視装置１２−Ｍ２は、電源投入時の電流値ＩＭ２の変化を監視し、ケーブル１４−Ｍ２及び電源投入制御装置本体９の外部インターフェース１５を介して、制御装置１８へ電流値の変化を出力する。
制御装置１８は、２番目に投入された負荷に流れる電流値１Ｍ２が定常電流値ＩＳ−Ｍ２に整定することを確認し（ＳＴＥＰ４０６）、３番目の負荷への電源投入を開始する。
【００３３】
２番目に投入された負荷に流れる電流値ＩＭ２が定常電流値ＩＳ−Ｍ２に整定しない場合には、操作者８に電源投入が不可能であることをヒューマンインターフェース部１７を通じて知らせ、電源投入を中止する。
即ち、制御装置１８は、閉路を指示した負荷回路の遮断器動作装置５−Ｍ１，５−Ｍ２へ遮断器開の命令を発し、負荷回路用遮断器６−Ｍ１，６−Ｍ２を開放し（ＳＴＥＰ４０７）、電源投入を中止する（ＳＴＥＰ４０４）。
【００３４】
続いて、３番目の負荷への電源投入を開始すると、制御装置１８は、外部インターフェース部１５及びケーブル１３−Ｍ３を介して、決定された電源投入順序に基づき、負荷回路４−１，４−２，４−３，〜，４−ｎに接続される負荷（図示せず）のうち、３番目に電源投入される負荷が接続されている負荷回路の遮断器動作装置５−Ｍ３へ電源投入の命令を発し、負荷回路用遮断器６−Ｍ３が閉じることにより、負荷への電源投入が行われる（ＳＴＥＰ４０８）。
【００３５】
このとき、電流監視装置１２−Ｍ３は、電源投入時の電流値ＩＭ３の変化を監視し、ケーブル１４−Ｍ３及び電源投入制御装置本体９の外部インターフェース１５を介して、制御装置１８へ電流値の変化を出力する。
制御装置１８は、３番目に投入された負荷に流れる電流値ＩＭ３が定常電流値ＩＳ−Ｍ３に整定することを確認し（ＳＴＥＰ４０９）、４番目の負荷への電源投入を開始する。
【００３６】
３番目に投入された負荷に流れる電流値ＩＭ３が定常電流値ＩＳ−Ｍ３に整定しない場合には、操作者８に電源投入が不可能であることをヒューマンインターフェース部１７を通じて知らせ，電源投入を中止する。
即ち、制御装置１８は、閉路を指示した負荷回路の遮断器動作装置５−Ｍ１，５−Ｍ２，５−Ｍ３へ遮断器開の命令を発し、負荷回路用遮断器６−Ｍ１，６−Ｍ２，６−Ｍ３を開放し（ＳＴＥＰ４１０）、電源投入を中止する（ＳＴＥＰ４０４）。
【００３７】
同様にして電源投入を継続し、ｎ番目の負荷への電源投入を開始すると、制御装置１８は、外部インターフェース部１５及びケーブル１３−Ｍｎを介して、決定された電源投入順序に基づき、負荷回路４−１，４−２，４−３，〜，４−ｎに接続される負荷（図示せず）のうち、ｎ番目に電源投入される負荷が接続されている負荷回路の遮断器動作装置５−Ｍｎへ電源投入の命令を発し、負荷回路用遮断器６−Ｍｎが閉じることにより、負荷への電源投入が行われる（ＳＴＥＰ４１１）。
【００３８】
このとき、電流監視装置１２−Ｍｎは、電源投入時の電流値ＩＭｎ変化を監視し、ケーブル１４−Ｍｎ及び電源投入制御装置本体９の外部インターフェース１５を介して、制御装置１８へ電流値の変化を出力する。
制御装置１８は、ｎ番目に投入された負荷に流れる電流値ＩＭｎが、定常電流値ＩＳ−Ｍｎに整定することを確認し（ＳＴＥＰ４１２）、電源投入を完了する（ＳＴＥＰ１０７，４１３）。
【００３９】
ｎ番目に投入された負荷に流れる電流値ＩＭｎが定常電流値ＩＳ−Ｍｎに整定しない場合には、操作者８に電源投入が不可能であることを、ヒューマンインターフェース部１７を通じて知らせ、電源投入を中止する。
即ち、制御装置１８は、閉路を指示した負荷回路の遮断器動作装置５−Ｍ１，５−Ｍ２，５−Ｍ３，〜，５−Ｍｎへ遮断器開の命令を発し、負荷回路用遮断器６−Ｍ１，６−Ｍ２，６−Ｍ３，〜，６−Ｍｎを開放し（ＳＴＥＰ４１４）、電源投入を中止する（ＳＴＥＰ４０４）。
【００４０】
以上のように、この発明によれば、負荷に流れる電流を制御装置１８が直接監視して、電源投入順序を決定しているため、複数の負荷に流れる電流特性が同一であっても、その電力投入のタイミングに時間差をつけることが可能となる。
また、電源投入順序を決定する部分を、分電盤１及び無停電電源装置等の外部に設置する電源投入制御装置本体９に集約させ、既設部分である分電盤１の中には、電流監視装置１２しか設置しないため、既設の分電盤１及び無停電電源装置等へ電源投入制御装置を追設することが容易となる。
【００４１】
実施の形態２．
上記実施の形態１では、負荷回路４−１，４−２，４−３，〜，４−ｎに電流監視装置１２−１，１２−２，１２−３，〜，１２−ｎを設け、負荷回路４−１，４−２，４−３，〜，４−ｎに接続される負荷（図示せず）の電流特性に応じて、制御装置１８が電源投入順序を自動的に決定する場合を述べたが、電源投入順序に制約がある負荷があるような場合、操作者８が予め電源投入順序を優先的に設定することがある。
【００４２】
ここで述べる電源投入順序に制約がある負荷とは、例えば、計算機本体と計算機の周辺機器とがある。
即ち計算機は、電源投入された後、計算機自身に接続されている周辺機器を自動的に認識するため、周辺機器は、計算機本体よりも先に電源が投入され、計算機が周辺機器を認識するまで電源が投入された状態で待機している必要がある。このような場合には、周辺機器の電力投入を計算機の電力投入よりも優先する必要があるのである。
【００４３】
図６〜図９は、この発明の実施の形態２による電源投入制御装置の動作を示すフローチャートであり、上述の実施の形態１に対して、電源投入操作前に操作者が電源投入順序を事前設定するステップ（ＳＴＥＰ５００）と、電源投入順序決定モード内の電源投入順序を仮決定するステップ（ＳＴＥＰ７０２，７０３）に、使用者によって事前設定された電源投入順序を考慮する部分とが追加されている。
【００４４】
具体的には、電源投入操作前に、操作者８は、優先的に電源投入順序を設定するＫ台（Ｋ：ｎを上限とする整数）の負荷を抽出して、その電源投入順序をヒューマンインターフェース部１７を介して、記憶装置１６に事前設定した電源投入順序を入力し記憶させる。
そして、電源投入順序決定モードに移行した後、制御装置１８は、負荷回路４−１，４−２，４−３，〜，４−ｎに接続される負荷（図示せず）に対して、電源投入順序の仮決定をするが、この時、電源投入順序が事前設定されているＫ台の負荷は、１台の負荷としてみなし、（ｎ−Ｋ＋１）！通りの電源投入順序を仮決定する（ＳＴＥＰ７０３）。
【００４５】
したがって、電源投入順序を事前設定されたＫ台の負荷については、その事前設定された電源投入順序を維持したまま、その他のｎ−Ｋ台の負荷と合わせた（ｎ−Ｋ＋１）！通りの電源投入順序が仮決定される。
そして、この（ｎ−Ｋ＋１）！通りの電源投入順序の中から、実際の電源投入順序が採用されるため、操作者８が事前設定した電源投入順序が最終的な電源投入順序に反映される。
【００４６】
次に本実施形態の動作についてフローチャートに基づき説明する。
図６は電源投入制御動作を示すフローチャートであり、操作者８は先ず電源投入順序を事前設定する（ＳＴＥＰ５００）。
次に電源投入制御装置本体９のヒューマンインターフェース１７を介して、操作者８が電源投入を指示すると、電源投入が開始され（ＳＴＥＰ５０１）、制御装置１８は記憶装置１６から負荷回路４−１，４−２，４−３，〜，４−ｎに接続される負荷（図示せず）に関する情報が記憶されているか否かを判断し（ＳＴＥＰ５０２）、負荷情報が記憶されておればこれら負荷情報を読み出す（ＳＴＥＰ５０３）。
【００４７】
ここで、分電盤５及び電源投入制御装置本体９の設置後、１度もこれらが受電されていない場合、または負荷回路４−１，４−２，４−３，〜，４−ｎに接続される負荷（図示せず）が変更されていた場合には、記憶装置１６に情報が記憶されていないため、制御装置１８はテスト電源投入モードに移行する（ＳＴＥＰ５０４）。
図７は、このテスト電源投入モードを示すフローチャートであり，テスト電源投入モードに移行すると（ＳＴＥＰ６００）、制御装置１８は、外部インターフェース１５を介して，遮断器動作装置５−１に対して，電源投入指令を出力する。
これにより遮断器６−１が閉じられ、負荷回路４−１に電流が流れる（ＳＴＥＰ６０２）。
【００４８】
このとき、電流監視装置１２−１は、負荷回路４−１に流れる電流を計測し、電源投入制御装置本体９の外部インターフェース１５へ計測結果を出力する。
制御装置１８は、外部インターフェース１５に入力された電流計測結果から、電源投入時に流れる突入電流ＩＴ−１と、突入電流が整定し定常状態に移行したときの定常電流ＩＳ−１を決定し、これらは記憶装置１６に記録される（ＳＴＥＰ６０３）。
記憶装置１６への記録が完了したら、制御装置１８は、外部インターフェース１５を介して、遮断器動作装置５−１に対して、電源遮断指令を出力する。
これにより遮断器６−１が開放され（ＳＴＥＰ６０４）、負荷回路４−１に接続される負荷（図示せず）への電力供給が絶たれる。
【００４９】
その後、制御装置１８は、遮断器動作装置５−２，５−３，〜，５−ｎに対して、上記に示した同様の動作を行い（ＳＴＥＰ６０５，６０６）、負荷回路４−２，４−３，〜４−ｎに接続される負荷（図示せず）へ電力を投入した場合の突入電流ＩＴ−２，ＩＴ−３，〜ＩＴ−ｎと、突入電流が整定し定常状態に移行したときの定常電流ＩＳ−２，ＩＳ−３，〜，ＩＳ−ｎを記憶装置１６に記録する。
このテスト電源投入モードが完了した後（ＳＴＥＰ６０７）、または、すでに負荷回路４−１，４−２，４−３，〜，４−ｎに接続される負荷（図示せず）の情報が記憶装置１６に記録されている場合には、制御装置１８は、電源投入順序決定モードヘ移行する（ＳＴＥＰ５０５）。
【００５０】
図８は電源投入順序決定モードを示すフローチャートであり、電源投入順序決定モードヘ移行すると、制御装置１８は、負荷回路４−１，４−２，４−３，〜，４−ｎに接続される負荷（図示せず）への電源投入順序を決定する（ＳＴＥＰ７００）。
まず、負荷回路４−１，４−２，４−３，〜，４−ｎに接続される負荷（図示せず）の定常状態時の定常電流値ＩＳ−１，ＩＳ−２，ＩＳ−３，〜，ＩＳ−ｎを合計してＩｓを算出し、分電盤遮断器２の遮断電流値Ｃとの大きさを比較するＳＴＥＰ７０１）。
そして、ＩｓがＣよりも大きい場合には、分電盤遮断器２は、負荷回路４−１，４−２，４−３，〜，４−ｎに接続される負荷（図示せず）のすべてに対して電力を供給することが不可能であるため、制御装置１８は、電源投入順序決定モードを中断し、操作者８に電源投入が不可能であることをヒューマンインターフェース部１７を通じて知らせる。
【００５１】
次に、ＩｓがＣよりも小さい場合には、分電盤遮断器２は、負荷回路４−１，４−２，４−３，〜，４−ｎに接続される負荷（図示せず）のすべてに対して電力を供給することが可能であるため、制御装置１８は、負荷回路４−１，４−２，４−３，〜，４−ｎに接続される負荷（図示せず）に対して（ｎ−ｋ＋１）！通りの電源投入順序を仮決定する（ＳＴＥＰ７０２）。
【００５２】
電源投入順序を仮決定した後、制御装置１８は、仮決定された電源投入順序に基づき負荷回路４−１，４−２，４−３，〜，４−ｎに接続される負荷（図示せず）の定常電流値ＩＳ−１，ＩＳ−２，ＩＳ−３，〜，ＩＳ−ｎに対して以下に述べる積上げ演算を実施する。
ただし、この積上げ演算では、負荷回路４−１，４−２，４−３，〜，４−ｎに接続される負荷（図示せず）の突入電流値ＩＴ−１，ＩＴ−２，ＩＴ−３，〜，ＩＴ−ｎも考慮する。
【００５３】
ここで、仮決定された（ｎ−ｋ＋１）！通りの電源投入順序のうち、Ｍ番目（Ｍ：（ｎ−ｋ＋１）！を上限とする整数）の電源投入順序を例に積上げ演算について説明する（ＳＴＥＰ７０３）。
仮決定された（ｎ−ｋ＋１）！通りの電源投入順序のうちのＭ番目の電源投入順序においては、１番目に電源投入される負荷回路に接続される負荷の定常状態時の定常電流値がＩＳ−Ｍ１、突入電流値がＩＴ−Ｍ１であり、２番目に電源投入される負荷回路に接続される負荷の定常状態時の定常電流値がＩＳ−Ｍ２、突入電流値がＩＴ−Ｍ２であり、３番目に電源投入される負荷回路に接続される負荷の定常状態時の定常電流値がＩＳ−Ｍ３、突入電流値がＩＴ−Ｍ３であり、〜，ｎ番目に電源投入される負荷回路に接続される負荷の定常状態時の定常電流値がＩＳ−Ｍｎ、突入電流値がＩＴ−Ｍｎであるとする。
【００５４】
まず、仮決定された（ｎ−ｋ＋１）！通りの電源投入順序のうちのＭ番目の電源投入順序において、１番目の負荷回路に電源が投入されると、分電盤遮断器２には、突入電流ＩＴ−Ｍ１が流れるため、ＩＴ−Ｍ１が分電盤遮断器２の遮断電流値Ｃよりも小さいかどうかを制御装置１８が判断する（ＳＴＥＰ７０４）。
そして、ＩＴ−Ｍ１が分電盤遮断器２の遮断電流値Ｃよりも小さかった場合には、２番目の負荷への電源投入を行った場合の検討へ移る（ＳＴＥＰ７０５）。
【００５５】
逆に、ＩＴ−Ｍ１が分電盤遮断器２の遮断電流値Ｃよりも大きかった場合には、仮決定された（ｎ−ｋ＋１）！通りの電源投入順序のうちＭ番目の電源投入順序は不適当として、仮決定された（ｎ−ｋ＋１）！通りの電源投入順序のうち、Ｍ＋１番目の電源投入順序に対して、再検討を行う（ＳＴＥＰ７０６，７０７）。
ただし、Ｍ＋１が（ｎ−ｋ＋１）！を上回った場合には、操作者８に電源投入が不可能であることをヒューマンインターフェース部１７を通じて知らせ、電源投入を中止する（ＳＴＥＰ７０８）。
【００５６】
次に、仮決定された（ｎ−ｋ＋１）！通りの電源投入順序のうちのＭ番目の電源投入順序において、２番目の負荷回路に電源が投入される時には、すでに１番目に電源投入された負荷の定常電流ＩＳ−Ｍ１に加え、２番目に電源投入される負荷の突入電流ＩＴ−Ｍ２が重畳するために、分電盤遮断器２には、突入電流ＩＳ−Ｍ１＋ＩＴ−Ｍ２が流れる。
制御装置１８は、ＩＳ−Ｍ１＋ＩＴ−Ｍ２が分電盤遮断器２の遮断電流値Ｃよりも小さいかどうかを判断する（ＳＴＥＰ７０５）。
そして，ＩＳ−Ｍ１＋ＩＴ−Ｍ２が分電盤遮断器２の遮断電流値Ｃよりも小さかった場合には、３番目の負荷への電源投入を行った場合の検討へ移る（ＳＴＥＰ７０９）。
【００５７】
逆に、ＩＳ−Ｍ１＋ＩＴ−Ｍ２が分電盤遮断器２の遮断電流値Ｃよりも大きかった場合には、仮決定された（ｎ−ｋ＋１）！通りの電源投入順序のうち、Ｍ番目の電源投入順序は不適当として、仮決定された（ｎ−ｋ＋１）！通りの電源投入順序のうち、Ｍ＋１番目の電源投入順序に対して、再検討を行う（ＳＴＥＰ７０６，７０７）。
ただし、Ｍ＋１が（ｎ−ｋ＋１）！を上回った場合には、操作者８に電源投入が不可能であることを、ヒューマンインターフェース部１７を通じて知らせ、電源投入を中止する（ＳＴＥＰ７０８）。
【００５８】
続いて、仮決定された（ｎ−ｋ＋１）！通りの電源投入順序のうちのＭ番目の電源投入順序において、３番目の負荷回路に電源が投入される時には、すでに１番目，２番目に電源投入された負荷の定常電流ＩＳ−Ｍ１＋ＩＳ−Ｍ２に加え、３番目に電源投入される負荷の突入電流ＩＴ−Ｍ３が重畳するために、分電盤遮断器２には、突入電流ＩＳ−Ｍ１＋ＩＳ−Ｍ２＋ＩＴ−Ｍ３が流れる。
制御装置１８は、ＩＳ−Ｍ１＋ＩＳ−Ｍ２＋ＩＴ−Ｍ３が分電盤遮断器２の遮断電流値Ｃよりも小さいかどうかを判断する（ＳＴＥＰ７０９）。
そして，ＩＳ−Ｍ１＋ＩＳ−Ｍ２＋ＩＴ−Ｍ３が分電盤遮断器２の遮断電流値Ｃよりも小さかった場合には、４番目の負荷への電源投入を行った場合の検討へ移る。
【００５９】
逆に、ＩＳ−Ｍ１＋ＩＳ−Ｍ２＋ＩＴ−Ｍ３が分電盤遮断器２の容量Ｃよりも大きかった場合には、仮決定された（ｎ−ｋ＋１）！通りの電源投入順序のうち、Ｍ番目の電源投入順序は不適当として、仮決定された（ｎ−ｋ＋１）！通りの電源投入順序のうち、Ｍ＋１番目の電源投入順序に対して、再検討を行う（ＳＴＥＰ７０６，７０７）。
ただし、Ｍ＋１が（Ｎ−Ｋ＋１）！を上回った場合には、操作者８に電源投入が不可能であることをヒューマンインターフェース部１７を通じて知らせ、電源投入を中止する（ＳＴＥＰ７０８）。
【００６０】
同様にして、仮決定された（ｎ−ｋ＋１）！通りの電源投入順序のうちのＭ番目の電源投入順序において、ｎ番目の負荷回路に電源が投入される時には、すでに１番目，２番目，３番目，〜，ｎ−１番目に電源投入された負荷の定常電流ＩＳ−Ｍ１＋ＩＳ−Ｍ２＋ＩＳ−Ｍ３＋〜＋ＩＳ−Ｍ（ｎ−１）に加え、ｎ番目に電源投入される負荷の突入電流ＩＴ−Ｍｎが重畳するために、分電盤遮断器２には、突入電流ＩＳ−Ｍ１＋ＩＳ−Ｍ２＋ＩＳ−Ｍ３＋〜＋ＩＳ−Ｍ（ｎ！−１）＋ＩＴ−Ｍｎ！が流れる。
制御装置１８は、ＩＳ−Ｍ１＋ＩＳ−Ｍ２＋ＩＳ−Ｍ３＋〜＋ＩＳ−Ｍ（ｎ！−１）＋ＩＴ−Ｍｎ！が分電盤遮断器２の遮断電流値Ｃよりも小さいかどうかを判断する（ＳＴＥＰ７１０）。
【００６１】
そして、ＩＳ−Ｍ１＋ＩＳ−Ｍ２＋ＩＳ−Ｍ３＋〜＋ＩＳ−Ｍ（ｎ−１）＋ＩＴ−Ｍｎが分電盤遮断器２の遮断電流値Ｃよりも小さかった場合には、仮決定された（ｎ−ｋ＋１）！通りの電源投入順序のうちのＭ番目の電源投入順序を決定された電源投入順序として採用し、電源投入モードヘ移行する（ＳＴＥＰ５０６，７１１）。
逆に、ＩＳ−Ｍ１＋ＩＳ−Ｍ２＋ＩＳ−Ｍ３＋〜＋ＩＳ−Ｍ（ｎ−１）＋ＩＴ−Ｍｎが分電盤遮断器２の遮断電流値Ｃよりも大きかった場合には、仮決定された（ｎ−ｋ＋１）！通りの電源投入順序のうちＭ番目の電源投入順序は、不適当として、仮決定された（ｎ−ｋ＋１）！通りの電源投入順序のうち、Ｍ＋１番目の電源投入順序に対して、再検討を行う（ＳＴＥＰ７０６，７０７）。
ただし、Ｍ＋１が（Ｎ−Ｋ＋１）！を上回った場合には、操作者８に電源投入が不可能であることをヒューマンインターフェース部１７を通じて知らせ、電源投入を中止する（ＳＴＥＰ７０８）。
【００６２】
図９は電源投入モードを示すフローチャートであり、電源投入モードヘ移行すると（ＳＴＥＰ８００）、制御装置１８は、外部インターフェース部９及びケーブル１３−Ｍ１を介して、決定された電源投入順序に基づき、負荷回路４−１，４−２，４−３，〜，４−ｎ！に接続される負荷（図示せず）のうち１番目に電源投入される負荷が接続されている負荷回路の遮断器動作装置５−Ｍ１へ電源投入の命令を発し、負荷回路用遮断器６−Ｍ１が閉じることにより、負荷への電源投入が行われる（ＳＴＥＰ８０１）。
【００６３】
このとき、電流監視装置１２−Ｍ１は、電源投入時の電流値ＩＭ１の変化を監視し、ケーブル１４−Ｍ１及び電源投入制御装置本体９の外部インターフェース１５を介して、制御装置１８へ電流値の変化を出力する。
制御装置１８は、１番目に投入された負荷に流れる電流値ＩＭ１が定常電流値ＩＳ−Ｍ１に整定することを確認し（ＳＴＥＰ８０２）、２番目の負荷への電源投入を開始する。
【００６４】
１番目に投入された負荷に流れる電流値ＩＭ１が定常電流値ＩＳ−Ｍ１に整定しない場合には、制御装置１８は、操作者８に電源投入が不可能であることをヒューマンインターフェース部１７を通じて知らせ、電源投入を中止する。
即ち、制御装置１８は、閉路を指示した負荷回路の遮断器動作装置５−Ｍ１へ遮断器開の命令を発し、負荷回路用遮断器６−Ｍ１を開放し（ＳＴＥＰ８０３）、電源投入を中断する（ＳＴＥＰ５０７，８０４）。
【００６５】
次に、２番目の負荷への電源投入を開始すると、制御装置１８は、外部インターフェース部１５及びケーブル１３−Ｍ２を介して、決定された電源投入順序に基づき、負荷回路４−１，４−２，４−３，〜，４−ｎ！に接続される負荷（図示せず）のうち、２番目に電源投入される負荷が接続されている負荷回路の遮断器動作装置５−Ｍ２へ電源投入の命令を発し、負荷回路用遮断器６−Ｍ２が閉じることにより、負荷への電源投入が行われる（ＳＴＥＰ８０５）。
【００６６】
このとき、電流監視装置１２−Ｍ２は、電源投入時の電流値ＩＭ２の変化を監視し、ケーブル１４−Ｍ２及び電源投入制御装置本体９の外部インターフェース１５を介して、制御装置１８へ電流値の変化を出力する。
制御装置１８は、２番目に投入された負荷に流れる電流値１Ｍ２が定常電流値ＩＳ−Ｍ２に整定することを確認し（ＳＴＥＰ８０６）、３番目の負荷への電源投入を開始する。
【００６７】
２番目に投入された負荷に流れる電流値ＩＭ２が定常電流値ＩＳ−Ｍ２に整定しない場合には、操作者８に電源投入が不可能であることをヒューマンインターフェース部１７を通じて知らせ、電源投入を中止する。
即ち、制御装置１８は、閉路を指示した負荷回路の遮断器動作装置５−Ｍ１，５−Ｍ２へ遮断器開の命令を発し、負荷回路用遮断器５−Ｍ１，５−Ｍ２を開放し（ＳＴＥＰ８０７）、電源投入を中止する（ＳＴＥＰ８０４）。
【００６８】
続いて、３番目の負荷への電源投入を開始すると、制御装置１８は、外部インターフェース部１５及びケーブル１３−Ｍ３を介して、決定された電源投入順序に基づき、負荷回路４−１，４−２，４−３，〜，４−ｎに接続される負荷（図示せず）のうち、３番目に電源投入される負荷が接続されている負荷回路の遮断器動作装置５−Ｍ３へ電源投入の命令を発し、負荷回路用遮断器６−Ｍ３が閉じることにより、負荷への電源投入が行われる（ＳＴＥＰ８０８）。
【００６９】
このとき、電流監視装置１２−Ｍ３は、電源投入時の電流値ＩＭ３の変化を監視し、ケーブル１４−Ｍ３及び電源投入制御装置本体９の外部インターフェース１５を介して、制御装置１８へ電流値の変化を出力する。
制御装置１８は、３番目に投入された負荷に流れる電流値ＩＭ３が定常電流値ＩＳ−Ｍ３に整定することを確認し（ＳＴＥＰ８０９）、４番目の負荷への電源投入を開始する。
【００７０】
３番目に投入された負荷に流れる電流値ＩＭ３が定常電流値ＩＳ−Ｍ３に整定しない場合には、操作者８に電源投入が不可能であることをヒューマンインターフェース部１７を通じて知らせ，電源投入を中止する。
即ち、制御装置１８は、閉路を指示した負荷回路の遮断器動作装置５−Ｍ１，５−Ｍ２，５−Ｍ３へ遮断器開の命令を発し、負荷回路用遮断器６−Ｍ１，６−Ｍ２，６−Ｍ３を開放し（ＳＴＥＰ８１０）、電源投入を中止する（ＳＴＥＰ８０４）。
【００７１】
同様にして電源投入を継続し、ｎ！番目の負荷への電源投入を開始すると、制御装置１８は、外部インターフェース部１５及びケーブル１３−Ｍｎを介して、決定された電源投入順序に基づき、負荷回路４−１，４−２，４−３，〜，４−ｎに接続される負荷（図示せず）のうち、ｎ番目に電源投入される負荷が接続されている負荷回路の遮断器動作装置５−Ｍｎへ電源投入の命令を発し、負荷回路用遮断器６−Ｍｎが閉じることにより、負荷への電源投入が行われる（ＳＴＥＰ８１１）。
【００７２】
このとき、電流監視装置１２−Ｍｎは、電源投入時の電流値ＩＭｎ変化を監視し、ケーブル１４−Ｍｎ及び電源投入制御装置本体９の外部インターフェース１５を介して、制御装置１８へ電流値の変化を出力する。
制御装置１８は、ｎ番目に投入された負荷に流れる電流値ＩＭｎが、定常電流値ＩＳ−Ｍｎに整定することを確認し（ＳＴＥＰ８１２）、電源投入を完了する（ＳＴＥＰ５０８，８１３）。
【００７３】
ｎ番目に投入された負荷に流れる電流値ＩＭｎが定常電流値ＩＳ−Ｍｎに整定しない場合には、操作者８に電源投入が不可能であることを、ヒューマンインターフェース部１７を通じて知らせ、電源投入を中止する。
即ち、制御装置１８は、閉路を指示した負荷回路の遮断器動作装置５−Ｍ１，５−Ｍ２，５−Ｍ３，〜，５−Ｍｎへ遮断器開の命令を発し、負荷回路用遮断器６−Ｍ１，６−Ｍ２，６−Ｍ３，〜，６−Ｍｎを開放し（ＳＴＥＰ８１４）、電源投入を中止する（ＳＴＥＰ８０４）。
【００７４】
【発明の効果】
この発明の請求項１に係る電源投入制御装置によれば、複数の負荷に電力を供給する電源装置と、この電源装置から供給された電力を複数の負荷へ分配する分電盤と、電源装置から個々の負荷への電力供給を制御する遮断器と、この遮断器の開閉動作を操作する遮断器動作装置と、電源装置から負荷へ流れる負荷特性に基づき、負荷への電源投入順序を決定し、遮断器動作装置へ開閉指令を出力する制御装置を備えたので、複数の負荷に流れる電流特性が同一であっても、その電力投入のタイミングに時間差をつけることができる。
【図面の簡単な説明】
【図１】この発明の実施の形態１による電源投入制御装置を示すブロック構成図である。
【図２】この発明の実施の形態１による電源投入制御装置の動作を示すフローチャートである。
【図３】この発明の実施の形態１による電源投入制御装置の動作を示すフローチャートである。
【図４】この発明の実施の形態１による電源投入制御装置の動作を示すフローチャートである。
【図５】この発明の実施の形態１による電源投入制御装置の動作を示すフローチャートである。
【図６】この発明の実施の形態２による電源投入制御装置の動作を示すフローチャートである。
【図７】この発明の実施の形態２による電源投入制御装置の動作を示すフローチャートである。
【図８】この発明の実施の形態２による電源投入制御装置の動作を示すフローチャートである。
【図９】この発明の実施の形態２による電源投入制御装置の動作を示すフローチャートである。
【符号の説明】
１  分電盤、５  遮断器動作装置、６  遮断器、１２  電流監視装置、１８  制御装置。
【図１】
2004336893.tif 000003
【図２】
2004336893.tif 000004
【図３】
2004336893.tif 000005
【図４】
2004336893.tif 000006
【図５】
2004336893.tif 000007
【図６】
2004336893.tif 000008
【図７】
2004336893.tif 000009
【図８】
2004336893.tif 000010
【図９】
2004336893.tif 000011